(57)【特許請求の範囲】
【請求項１】
トイレの床又は壁に取付けられるフレームと、当該フレームに沿って昇降する便器を備えた昇降便器の伸縮自在の接続排水管構造であって、
前記接続排水管は、便器側排水管と床側排水管とを接続する際に用いられ、
前記接続排水管はテレスコープタイプの排水管からなり、かつ当該接続排水管には、その周囲を覆い当該接続排水管の伸縮に応じて伸縮する蛇腹管が備わり、
前記接続排水管の下端には前記床側排水管との隙間を覆うプラグソケットが連結され、前記接続排水管の下端部の外径は前記プラグソケットの接続部の内径より拡開し前記接続排水管が上方に伸びた際に前記プラグソケットから抜けるストッパとなり、前記プラグソケットの上面には吸排気口が備わったことを特徴とする昇降便器の伸縮式排水管構造。
【発明の詳細な説明】
【技術分野】
【０００１】
本発明は、トイレに備わった昇降便器の伸縮式排水管構造に関する
【背景技術】
【０００２】
トイレの使い勝手を向上させるためにトイレ内に昇降便器を設置することが従来から行われている。この便器を昇降させるにあたって便器の排出孔と床下の排水管とを伸縮自在に接続する伸縮式接続排水管も知られている（例えば、特許文献１参照）。この伸縮式接続排水管は、便器の後方から突出した排水管にその上部が接続され、伸縮式接続排水管の端部の下向き直管部をトイレの床に設けた排水管路に上下移動自在に嵌合させている。なお、排水管路の上部には蛇腹筒の下部を被せて気密的に固着し、かつ蛇腹筒の上部を直管部に被せて気密的に固着している。また、直管部の外周にはＯリングが設けられている。
【特許文献１】特開平１−２３５７３９号（２頁、図１）
【発明の開示】
【発明が解決しようとする課題】
【０００３】
しかしながら、このような従来例の昇降便器の蛇腹を備えた伸縮式接続排水管によると、伸縮式排水管をその周囲が密閉された状態で蛇腹管で覆うことになるので、蛇腹管と伸縮式排水管との間の密閉された空気が蛇腹管と相俟って一種の空気バネのように作用し、排水管のスムーズな伸縮、即ち便器のスムーズな昇降に支障をきたす場合がある。
【０００４】
そして、この従来例の蛇腹を備えた伸縮式接続排水管の構造では、蛇腹と伸縮式接続排水管との間に臭気を伴う一定容積の空気が密封された状態となっているので、便器を何度も昇降させることによりこの空間内の圧力の上昇や下降を繰り返し、圧力上昇に伴う蛇腹管の応力の発生と伸縮に伴って繰り返される蛇腹管の弾性変形とが相俟って蛇腹管に亀裂が入って破け、蛇腹管内の異臭がトイレ内に一気に拡散するおそれがある。
【０００５】
本発明の目的は、便器を滑らかに昇降させ、かつ便器昇降時にトイレ内に臭気を発生させることのない昇降便器の伸縮式排水管構造を提供することにある。
【課題を解決するための手段】
【０００６】
上述した課題を解決するために、本発明にかかる昇降便器の伸縮式排水管構造は、
トイレの床又は壁に取付けられるフレームと、当該フレームに沿って昇降する便器を備えた昇降便器の伸縮自在の接続排水管構造であって、
前記接続排水管は、便器側排水管と床側排水管とを接続する際に用いられ、
前記接続排水管はテレスコープタイプの排水管からなり、かつ当該接続排水管には、その周囲を覆い当該接続排水管の伸縮に応じて伸縮する蛇腹管が備わり、
前記接続排水管の下端には前記床側排水管との隙間を覆うプラグソケットが連結され、前記接続排水管の下端部の外径は前記プラグソケットの接続部の内径より拡開し前記接続排水管が上方に伸びた際に前記プラグソケットから抜けるストッパとなり、前記プラグソケットの上面には吸排気口が備わったことを特徴としている。
【０００７】
本発明に係る昇降便器の排水管構造がこのような構成を有することで、従来例の昇降便器の蛇腹を備えた伸縮式接続排水管のように伸縮式排水管をその周囲が密閉された状態で蛇腹管で覆わなくて済む。その為、従来例の昇降便器の蛇腹を備えた伸縮式接続排水管のように蛇腹管と伸縮式排水管との間の密閉された空気が蛇腹管と相俟って一種の空気バネのように作用することがなく、排水管のスムーズな伸縮、即ち便器のスムーズな昇降を行なうことができる。
【０００８】
また、従来例の昇降便器の蛇腹を備えた伸縮式接続排水管のように便器を何度も昇降させることによりこの空間内の圧力の上昇や下降を繰り返し、圧力上昇に伴う蛇腹管の応力の発生と伸縮に伴って繰り返される蛇腹管の弾性変形とが相俟って蛇腹管に亀裂が入って破けて蛇腹管内の異臭がトイレ内に一気に拡散するような不具合を発生させずに済む。
また、接続排水管の下端部の外径がプラグソケットの接続部の内径より拡開しているので、接続排水管が上方に伸びた際にプラグソケットから抜けないようになっている。
【発明の効果】
【０００９】
本発明によると、便器を滑らかに昇降させ、かつ便器昇降時にトイレ内に臭気を発生させることのない昇降便器の伸縮式排水管構造を提供することができる。
【発明を実施するための最良の形態】
【００１０】
以下、本発明の一実施形態にかかる昇降便器の伸縮式排水管構造について図面に基づいて説明する。図１は、本発明の一実施形態にかかる昇降便器の伸縮式排水管構造を斜め前方から見た全体斜視図であり、図２は、図１に示した昇降便器の伸縮式排水管構造を斜め後方から見た斜視図である。
【００１１】
また、図３は、図１に示した昇降便器の伸縮式排水管構造を、便器及び洗浄タンクを外した状態で示す斜視図であり、図４は、図３に対応する図であり、図示しない便器が上限位置にある状態の斜視図である。
【００１２】
また、図５は、図３に対応する図であり、図示しない便器が下限位置にある状態の斜視図であり、図６は、図１に示した昇降便器の伸縮式排水管構造における蛇腹管と接続排水管とプラグソケットを組立てた状態で示す断面図である。
【００１３】
また、図７は、図６に示したプラグソケットを斜め上方から見た斜視図であり、図８は、図７に示したプラグソケットの平面図である。
【００１４】
また、図９は、図６に示したプラグソケットと蛇腹管と接続排水管とを部分的に示した断面図であり、図１０は、図６に示した昇降便器の伸縮式排水管構造をトイレブースに施工した側面図である。
【００１５】
本発明の一実施形態にかかる昇降便器の伸縮式排水管構造は、木造住宅又は鉄筋コンクリート住宅に設置された既存の便器を取り去って後付け設置するタイプの昇降便器への使用に適するもので、図１及び図２及び図４に示すように、便器１０と、トイレ床面Ｆの部分的補強層をなすベース板２０（２１，２２）と、ベース板２０に垂設され便器１０を昇降する昇降機構を備えた便器固定フレーム３０と、便器の排水部と床下の排水管とを接続する伸縮式の排水管１００とを有している。便器１０は、便器底部１１とベース板２０との間で所定の清掃用空間が形成されるように便器１０の背面が便器固定フレーム３０に取付けられている。そして、便器固定フレーム３０は、その上部において固定具３３（図２、図３参照）によってトイレの便器後方の壁面Ｗ（図１０参照）に固定されている。
【００１６】
便器背面１３には、ここでは図示しない汚物排出孔が形成され、この汚物排水孔には図６に示す伸縮自在なテレスコープタイプの接続排水管１１０を備えた排水管１００が接続され、この排水管１００は、トイレ床面の排水用開口部を通ってトイレ下方の床側排水管９０（図９参照）に接続されている。また、便器１０の汚物排出孔に一端が接続された排水管１００は、伸縮自在なテレスコープタイプの接続排水管１１０の周囲が例えばゴムでできた蛇腹管１２０で覆われて接続排水管１１０の伸縮時に排水管１００から漏れ出る臭気がトイレ内に拡散するのを防止している。なお、この排水管構造については後に詳細に説明する。
【００１７】
便器１０は、図２に示すロータンク５０を介して便器自体の洗浄を行うようになっている。
【００１８】
一方、便器１０を支持する便器固定フレーム３０は、本実施形態ではトイレの床面Ｆの一部をなすベース板２０に対して便器１０の底部１１が所定間隔を保って対向配置するように便器１０を支持している。
【００１９】
なお、便器固定フレーム３０は、図３及び図４に示すように、ベース板２０から所定間隔隔てて垂直に立設した２本の固定フレーム３１と、この２本の固定フレーム３１に沿って上下にスライド可能な可動フレーム３２を備えている。可動フレーム３２は、ネジ等の締結具で便器１０の背面をしっかりと固定している。また、固定フレーム３１の上端は、固定具３３によってトイレの便器後方の壁面に固定されている。
【００２０】
また、可動フレーム３２の上方にはロータンク５０（図２参照）を載せる載置部３２ｃ（図１参照）が設けられ、図１では図示しない便器洗浄用のロータンク５０がこの上に載置されるようになっている。
【００２１】
また、固定フレーム３１の下方部分には、図２に示すように、ＤＣモータなどのモータ６１が配置され、可動フレーム３２の一部にはこのモータ６１で駆動され伸縮自在に延在する例えばボールネジからなる伸縮シャフト６２の端部が結合されている。そして、トイレの使用者や清掃者がトイレに備わった昇降スイッチ８０（図１０参照）を操作することでモータ６１の駆動力を介して可動フレーム３２を固定フレーム３１に対して所定量だけ昇降させるようになっている。
【００２２】
固定フレーム２０の下端は、図１乃至図４に示すように、便器側方から見て便器後方に折曲した断面略Ｌ型の鋼板からなる取付け板３６を介してベース板２０に固定されている。
【００２３】
なお、図２は可動フレーム３２及びこれに取付けられた便器１０が固定フレーム３１の上端に位置するようにモータ６１を駆動制御した状態を示し、図１及び図１０は可動フレーム３２及びこれに取付けられた便器１０が固定フレーム３１の下端に位置するようにモータ６１を駆動制御した状態を示している。
【００２４】
固定フレーム３１を支持するベース板２０は、鋼板でできており、図１に示すように、ベース板２１，２２が便器固定フレーム３０の２本の固定フレーム３１の下端から便器１０の前方に向かってそれぞれ便器１０の若干先まで延在している。このベース板２０はこれが嵌り合う細長の切り欠きを有した例えばパネルの凹み部（図１では図示せず）と組み合わさってトイレ床面を形成するようになっている。
【００２５】
昇降便器１の排水管１００は、便器側に固定された便器側排水管１０１と床側排水管９０とを接続する伸縮自在の接続排水管１１０を備えると共に、接続排水管１１０の下端に連結されたプラグソケット２００を備えている。そして、接続排水管１１０はテレスコープタイプの排水管からなり、かつ接続排水管１１０の周囲を覆い接続排水管１１０の伸縮に応じて伸縮する蛇腹管１２０が備わっている。
【００２６】
また、接続排水管１１０の床側端部にはプラグソケット２００が備わっている。そして、プラグソケット２００によりトイレ床に設けられた挿通用開口部と上述した床側排水管９０との間の隙間を覆うようになっている。
【００２７】
便器側排水管１０１は伸縮性を有した例えば軟質の或る程度の強度と洗浄液の排水に耐えられる耐薬品性の塩ビ管などのゴムでできており、便器側方から見てＬ字形を有し、一端部が便器背面の排水開口部に接続され、他端が接続排水管１１０の上部に結合されている。施工時のプラグソケットとフレームの配置誤差等により、仮にプラグソケットの固定位置と便器側排水管の端部の距離が規定の距離よりも長くなった或いは短くなった場合にも、便器側排水管１０１が伸縮性を有することで、また便器側排水管１０１が蛇腹部１０１ａを有することで、蛇腹部１０１ａで誤差を吸収することができ、接続排水管１１１と１１２を傾けて接続することなく、鉛直方向に中心を合わせて配置することを可能とし、円滑な便器の昇降を可能とする。
【００２８】
接続排水管１１０は、上述したようにテレスコープタイプの排水管からなり、図６に示すように上下に連なる２つの円筒管１１１，１１２を有し、上側円筒管１１１の外径が下側円筒管１１２の内径に等しくなり、便器の上昇時に上側円筒管１１１が下側円筒管１１２から突出すると共に、便器の下降時に上側円筒管１１１が下側円筒管内１１２に入り込むようになっている。なお、上側円筒管１１１及び下側円筒管１１２は共に硬質で十分な強度と洗浄液の排水に耐えられる耐薬品性を有した塩ビ管等でできている。
【００２９】
また、上側円筒管１１１の上端部１１１ａには便器側排水管１０１の端部が被せられ、この端部の周囲をインシュロック１４１によってしっかりと締結し、排水管内部の汚水や臭気がこの連結部から外部に漏れないようになっている。
【００３０】
また、上側円筒管１１１と下側円筒管１１２の間にはパッキン１１３が介装され、接続排水管内の汚水を上側円筒管１１１と下側円筒管１１２の間からその外部に極力漏出させないようにしている。また、下側円筒管１１２の上端部１１２ａはストッパーであり、便器の下降時に接続排水管１１２がプラグソケット２００から抜けるのを防止している。また、床排水管（住宅側排水管）が床下直下で曲げ部を有し床下で水平方向に配設されている場合でも、ストッパー１１２ａを用いて便器の下降時に接続排水管１１２が床下に突出する寸法を制限することで、便器の下降時に接続排水管１１２が床排水管の曲がり部に干渉するのを防ぐことができる。
【００３１】
プラグソケット２００は、十分な強度を有し成形性に優れ洗浄液の排水に耐えられる耐薬品性を有した硬質の塩ビ等でできており、図７及び図８に示すように平面視で矩形状のベース板２１０と、ベース板２１０から上方に突出し、上端部が縮径した開口部を有する円筒状のソケット本体２２０とから構成されている。そして、ベース板２１０の四隅にはプラグソケット２００をトイレ床面Ｆに取り付けるためのボルト等の締結具を通す取付孔２１１が形成されている。
【００３２】
また、ソケット本体２２０の上面２２０ａの開口部周囲は突出してこの部分が接続排水管１１０との接続部２２２をなしている。そして、接続部２２２の内径は、接続排水管１１０の下側円筒管１１２の外径と略等しい内径を有しており、これによって接続排水管１１０の下側円筒管１１２を接続部２２２に対してスムーズに摺動させるようになっている。なお、接続排水管１１０の下側円筒管１１２の下端部１１２ｂの外径は、プラグソケット２００の接続部２２２の内径よりもわずかに拡径しており、この部分がストッパとしての役目を果し、接続排水管１１０の下側円筒管１１２が上方に伸びたときにプラグソケット２００から抜けるのを防止している。
【００３３】
ソケット本体２００の上面２２０ａには接続部２２２から周方向所間隔を隔てて本実施形態では８本のリブ２２５が放射状に延在形成されている。リブ２２５は、蛇腹管１２０が縮んだ際に後述するソケット本体２２０の吸排気口２２３を蛇腹管１２０が塞がないようにする役目を果しているが、プラグソケット２００の補強用リブとしての機能も有している。
【００３４】
ソケット本体２２０の上面２２０ａにおいて隣接するリブ２２５の接続部周方向略真ん中の位置には、ソケット本体２２０の上面とソケット本体２２０の内部に接続された床側排水管９０の内部とを連通する吸排気口２２３が本実施形態では合計８個備わっている。
【００３５】
吸排気口２２３は、便器１０が上昇すると共に接続排水管１１０が伸びたときに、床側排水管の内部から接続排水管１１０と蛇腹管１２０とで画成された空間に吸気して蛇腹管１２０も抵抗なく伸びるようにする。また、吸排気口２２３は、昇降便器１０が下降すると共に接続排水管１１０が縮んだときに、接続排水管１１０と蛇腹管１２０とで画成された空間から床側排水管９０の内部に排気して蛇腹管１２０も抵抗なく縮むようにする。
【００３６】
なお、ソケット本体２２０の上面は、外周縁から接続部に向かって僅かに下方に傾斜した傾斜面２２４を有しており、仮に接続排水管１１０の下端部で汚物が詰まって接続排水管１１０内が満水となり、接続排水管１１０の上側円筒管１１１と下側円筒管１１２との接続部等から汚水が漏出した場合にも、傾斜面２２４及び吸排気口２２３を介してこの汚水を床側排水管９０に戻す役目を果たしている。
【００３７】
プラグソケット２００の内部は、図９の断面図に示すように、ソケット本体２２０の外周壁２３０の内側に内周壁２４０が周方向全体に亘って所定間隔隔てて備わっている。そして、上述した吸排気口２２３は、ソケット本体２２０の上面の内周壁２４０が延在形成する部分とこの内側の上方に突出した接続部２２２との間であって接続部２２２側に形成されている。
【００３８】
外周壁２３０と内周壁２４０との間にはこのように所定の間隙が周方向に亘って形成されているので、図９に示すように大径の床側排水管９１をプラグソケット２００に接続する場合は、外周壁２３０の内周面に床側排水管９１の外周面が当接嵌合して接続され、小径の床側排水管９２をプラグソケット２００に接続する場合は、内周壁２４０の内周面に床側排水管９２の外周面が当接嵌合して接続されるようになっている。なお、小径の床側排水管９２をパイプソケットに接続する場合は、床側排水管９２の上端部がパイプソケット２００の吸排気口２２３を塞がないような寸法関係で吸排気口２２３がプラグソケット２００に形成されている（図９の二点鎖線で示す床側排水管９２と吸排気口２２３との位置関係参照）。
【００３９】
プラグソケット２００の外周壁２３０には、図６及び図９に示すようにその上部に蛇腹管１２０の下端が被せられ、インシュロック１４４を介して蛇腹管１２０の下端とプラグソケット２００の外周壁２３０との間から臭気や汚水が漏出しないようにしている両者を密着させている。
【００４０】
蛇腹管１２０は、例えば軟質の塩ビなどの伸縮性に優れた材質でできており、その上側端部は、上側円筒体１１１と便器側排水管１０１との間の接続部にインシュロック１４３を介して両者を密着させた状態で接続されるようになっており、その下側端部は円筒状をなしてこの下端部がプラグソケット２００のソケット本体２２０に被さり、上述したようにインシュロック１４４でソケット本体にしっかりと密着した状態で接続されるようになっている。
【００４１】
続いて、上述した実施形態における昇降便器１の伸縮式排水管構造の作用について説明する。
【００４２】
壁掛け便器１をトイレに設置した後、使用者は、図１０に示す昇降スイッチ８０の上昇ボタン８１を押して便器１０を便器固定フレーム３０の上方まで上昇させる。これによって、使用者は、便座４０に座る際に極端に屈むことなく腰掛ける感じで楽に座ることができる。
【００４３】
この便器上昇操作に伴って、便器１０を下限位置から上昇させると、プラグソケット２００の吸排気口２２３を介して床側排水管９０内の空気が接続排水管１１０と蛇腹管１２０との間の空間に吸い込まれる。これにより、従来例の昇降便器の蛇腹式排水管における伸縮式排水管のようにその周囲が密閉された状態で蛇腹管で覆われた状態とはならず、伸縮式排水管と蛇腹管との間の密閉された空気が蛇腹管と相俟って一種の空気バネのように作用することがなく、伸縮式排水管１００がスムーズに伸びて便器１０のスムーズな上昇動作を実現することができる。
【００４４】
そして、使用者は、昇降スイッチ８０の下降ボタン８２を押して便器１０を図８に示す便器固定フレーム３０の下方まで下げ、用を足した後、再び上昇ボタン８１を押して便器１０を上昇させて便座４０から腰をあまり屈めることなく楽に立ち上がって用足しを終えることができる。
【００４５】
この便器下降操作に伴って、便器１０を上限位置から下降させると、プラグソケット２００の吸排気口２２３を介して接続排水管１１０と蛇腹管１２０との間の空間の空気が床側排水管９０内に排気される。これにより、従来例の昇降便器の蛇腹式排水管における伸縮式排水管のようにその周囲が密閉された状態で蛇腹管１２０で覆われた状態とはならず、伸縮式排水管１００と蛇腹管１２０との間の密閉された空気が蛇腹管１２０の弾性力と相俟って一種の空気バネのように作用することがなく、伸縮式排水管１００がスムーズに縮んで便器１０のスムーズな下降動作を実現することができる。
【００４６】
また、便器の上昇時に汚水を流すと接続排水管１１２の内面に汚水が付着するため、次に便器を下降させた際に接続排水管１１１の外周に１１２の内面に付着した汚水が接触する。次に再び便器を上昇させると、外周に汚水の付着した接続排水管１１１が接続排水管１１２より突出することとなり、伸縮式排水管１００の接続部から伸縮式排水管１００と蛇腹管１２０との間の密閉された空間内の空気が異臭を放つこととなるが、この空気は便器下降時に伸縮式排水管１００と蛇腹管１２０が共に縮むことでプラグソケット２００の吸排気口２２３から床側排水管９０に排気されるので、異臭がトイレ内に漂うことはない。
【００４７】
また、ソケット本体２２０の上面２２０ａには接続部２２２から周方向所間隔を隔てて放射状に延在形成されている８本のリブ２２５が形成されているので、蛇腹管１２０が完全に縮んだ際にもソケット本体２２０の吸排気口２２３を蛇腹管１２０が塞ぐことがなく、この吸排気口２２３の機能を損なわない。
【００４８】
また、ソケット本体２２０の上面２２０ａは、外周縁から接続部に向かって僅かに下方に傾斜した傾斜面２２４を有しているので、接続排水管１１０の上側円筒管１１１と下側円筒管１１２との接続部から汚水が漏出した場合に吸排気口２２３を介してこれを床側排水管９０内に戻すので、ソケット本体２２０の上面２２０ａに汚水が溜まったまま付着することがなく乾いて汚物として異臭を発するのを防止できる。
【００４９】
また、従来例の昇降便器の蛇腹式排水管のように便器を何度も昇降させることによりこの空間内の圧力の上昇を繰り返すことによる蛇腹管の応力の発生と伸縮に伴って繰り返される蛇腹管の弾性変形とが相俟って蛇腹管に亀裂が入って破けて蛇腹管内の異臭がトイレ内に一気に拡散するような不具合を発生させずに済む。
【００５０】
以上説明したように、本発明に係る昇降便器の排水管構造は、従来例の昇降便器の蛇腹式排水管のように伸縮式排水管をその周囲が密閉された状態で蛇腹管で覆わなくて済むので、従来例の昇降便器の蛇腹式排水管のように蛇腹管と伸縮式排水管との間の密閉された空気が蛇腹管と相俟って一種の空気バネのように作用することがなく、排水管のスムーズな伸縮、即ち便器のスムーズな昇降を行なうことができる。
【００５１】
また、本発明に係る昇降便器の排水管構造は、従来例の昇降便器の蛇腹式排水管のように便器を何度も昇降させることによりこの空間内の圧力の上昇を繰り返して圧力上昇に伴う蛇腹管の応力の発生と伸縮に伴って繰り返される蛇腹管の弾性変形とが相俟って蛇腹管に亀裂が入って破けて蛇腹管内の異臭がトイレ内に一気に拡散するような不具合を発生させずに済む。
【００５２】
なお、本発明の実施形態においては便器はロータンクを備えていたが、ロータンクではなく水道直圧式の便器であっても、またポンプを備えた便器であっても本発明の適用が可能である。
【００５３】
また、本発明の実施形態においてテレスコープタイプの排水管として紹介した接続排水管１１１と１１２は一体であっても良い。
【００５４】
また、本発明の実施形態では便器の排水管を壁側に備えた便器で説明をしたが、本発明ではこれに限定されず、便器から床側に排水部を備える便器であっても良い。また、上述の各々の便器から直接接続排水管に接続しても良い。
【図面の簡単な説明】
【００５５】
【図１】本発明の一実施形態にかかる昇降便器の伸縮式排水管構造が適用される昇降便器を斜め前方から示す斜視図である。
【図２】図１に示した昇降便器の伸縮式排水管構造を斜め後方から示す斜視図である。
【図３】図１に示した昇降便器の伸縮式排水管構造を、便器及び洗浄タンクを外した状態で斜め前方から示す斜視図である。
【図４】図１に示した昇降便器の伸縮式排水管構造を、便器及び洗浄タンクを外した状態で斜め後方から示す斜視図である。
【図５】図３に対応する図であり、図示しない便器が下限位置にある状態の斜視図である。
【図６】図１に示した昇降便器の伸縮式排水管構造における蛇腹管と接続排水管とプラグソケットを組立てた状態で示す断面図である。
【図７】図６に示したプラグソケットを斜め上方から見た斜視図である。
【図８】図７に示したプラグソケットの平面図である。
【図９】図６に示したプラグソケットと蛇腹管と接続排水管とを部分的に拡大して示す斜視図である。
【図１０】図２に示した昇降便器の伸縮式排水管構造をトイレブースに施工した側面図である。
【符号の説明】
【００５６】
１    壁掛け便器
１０    便器
１１    便器底部
１３    便器背面
２０（２１，２２）    ベース板
３０    便器固定フレーム
３１    固定フレーム
３２    可動フレーム
３２ｃ    載置部
３３    固定具
３６    取付け板
４０    便座
５０    ロータンク
６１    モータ
６２    伸縮シャフト
８０    昇降スイッチ
８１    上昇ボタン
８２    下降ボタン
９０    床側排水管
９１    大径の床側排水管
９２    小径の床側排水管
１００    伸縮式排水管
１０１    便器側排水管
１０１ａ    蛇腹部
１１０    接続排水管
１１１    上側円筒管
１１１ａ    上端部
１１２    下側円筒管
１１２ａ    上端部
１１２ｂ    下端部
１１３    パッキン
１２０    蛇腹管
１４１，１４２，１４３，１４４    インシュロック
２００    プラグソケット
２１０    ベース板
２１１    取付孔
２２０    ソケット本体
２２０ａ    上面
２２２    接続部
２２３    吸排気口
２２４    傾斜面
２２５    リブ
２３０    外周壁
２４０    内周壁
Ｆ    トイレ床面
Ｗ    トイレ壁面
【図１】
0005429438.tif 000002
【図２】
0005429438.tif 000003
【図３】
0005429438.tif 000004
【図４】
0005429438.tif 000005
【図５】
0005429438.tif 000006
【図６】
0005429438.tif 000007
【図７】
0005429438.tif 000008
【図８】
0005429438.tif 000009
【図９】
0005429438.tif 000010
【図１０】
0005429438.tif 000011